(57)【要約】【課題】様々な大きさのごみ箱に対し、ごみ袋を装着したときに生じるごみ袋の端部のはみ出しを無くす簡単な手段を与える。【解決手段】冠形状の留め具によって、プラスチック製のごみ袋をその端部がはみ出すことがないように、ごみ箱内に綺麗に装着できる手段を提供し、加えてごみ箱の開口部の大きさに合わせて冠形状の留め具の引っ掛け位置を変えられる仕組みを用いることで、１つの冠形状の留め具で様々な大きさのごみ箱に対応できるようにする。【選択図】図３
2016137993.tif 000002
【特許請求の範囲】
【請求項１】
円柱、円錐台の形状のごみ箱に対し、その内部にプラスチック製のごみ袋を被せて装着するときにごみ袋の端部がごみ箱の外側にはみ出さないようにするためのごみ箱の上端部に嵌める冠形状の留め具であって、その冠形状の留め具の側面が段々に重ね合わされた複数の板片で構成され、それら板片の下端をリング状の枠に、枠を回転軸として動けるように留め合わせることで重ね合わされた複数の板片が、花弁が開花したり閉じたりするように開閉できるようにし、また板片の留められていない他端部にはごみ箱の側板の上端部に引っ掛けることのできる複数の掛け具を設けることで、様々な大きさのごみ箱の開口部に対しそれら板片の位置を調整して取り付けられるようにしたことを特徴とする冠形状の留め具
【発明の詳細な説明】
【技術分野】
【０００１】  本発明はごみ袋をごみ箱に装着するときに、ごみ袋の端部がごみ箱からはみ出ないよう綺麗に装着できる留め具に関する。
【背景技術】
【０００２】  一般的にごみ箱は、ごみを入れたときにごみ箱の内面が汚れないようにするために、プラスチック製のごみ袋をごみ箱の中に被せるように装着して、ごみをごみ箱内のごみ袋の中に貯めるようにして使われる。
しかし、ごみ袋をごみ箱の中に装着したときに、ごみ袋の端部がごみ箱の開口部から外側にはみ出し、だらしない外観となってしまう。
このような外観の悪化を解消するために、これまでごみ袋の端部のはみ出しを隠すよう、板状のカバーをごみ箱の外側に被せたり、はみ出し部分に帯状のものを巻き付けたりといった方法が取られてきた。
しかし、ごみ箱の外側面に板状のカバーを被せることはごみ箱自体を重いものにし、外観を重ったるく、むさ苦しいものにしていた。
また、帯状のものをごみ箱の外側面の上部に貼り付けて、ごみ袋のはみ出しを隠す方法も、ごみ箱本来のシンプルで美しい外観を別のものに変え損なっていた。
【先行技術文献】
【特許文献】
【０００３】
【特許文献１】実用新案登録第３１６５７３９号
【特許文献２】特許第４８７５２１０号
【発明の概要】
【発明が解決しようとする課題】
【０００４】  プラスチック製のごみ袋をごみ箱の中に装着したときに生じるごみ袋の端部のはみ出しを、ごみ箱の外側から板状または帯状のもので覆い隠したのでは、ごみ箱本来のシンプルなデザインを変え悪化させてしまう。またそれを隠すための板状のカバー等は重く、ごみ箱のすっきりとした軽量感を損なってしまう。
本発明の課題はごみ箱にごみ袋を装着したときに生じるごみ袋の端部のはみ出しを解消し、ごみ箱本来のシンプルな外観を損なわない簡単な方法を提供することである。また加えて、１つの留め具で様々な大きさの開口部のごみ箱に対し、ごみ袋を綺麗に装着できる方法を提供することである。
【課題を解決するための手段】
【０００５】  本発明は、ごみ箱の外側に装具を着けるのではなく、ごみ箱の上端部に嵌める冠形状の留め具を用いる。
この冠形状の留め具は、その冠形状の留め具の側面が段々に重ね合わされた複数の板片で構成されており、これら側面をなす板片の下端をリング状の枠に、枠を回転軸として動けるように留め合わせることで重ね合わされたそれらの板片が、花弁が開花したり閉じたりするように開閉できるようにする。また、それら板片の留められていない他端部すなわち上端部にはごみ箱の側板の上端部に引っ掛けることのできる複数の掛け具を設ける。これにより、それら板片を開閉させて掛け具の位置を調整し、様々な大きさのごみ箱の開口部に嵌められるようにする。
そして、この冠形状の留め具をごみ箱の上端部に嵌めるときには、冠形状の留め具とごみ箱の側板の上端部とで、ごみ袋の端部を挟み込んで、ごみ袋の端部は冠形状の留め具で折り返されて、ごみ箱内に収められるため、ごみ袋の端部がごみ箱の開口部から外側にはみ出すことがなく、ごみ袋をごみ箱に綺麗に装着することができる。
【発明の効果】
【０００６】  本発明の冠形状の留め具を用いることで、ごみ箱はプラスチック製のごみ袋をその中に装着したときに生じるごみ袋の端部のはみ出しをなくすことができ、ごみ箱の外側面に何も装具を装着しないため、ごみ箱はシンプルですっきりしており綺麗である。
加えて、本発明の冠形状の留め具はごみ箱の開口部の大きさに合わせて、掛け具の位置を調節できるため、一つの冠形状の留め具によって様々な大きさのごみ箱に対応することができる。
【図面の簡単な説明】
【０００７】
【図１】本発明の冠形状の留め具を用いてごみ袋を装着した円錐台形状のごみ箱の斜視図
【図２】図１の断面図
【図３】図１で使われている本発明の冠形状の留め具の斜視図
【図４】図１で使われている本発明の冠形状の留め具の上面図
【図５】図１で使われている本発明の冠形状の留め具の下面図
【図６】図３の本発明の冠形状の留め具を用いてごみ袋を装着した開口部の小さい円柱形のごみ箱の断面図
【発明を実施するための形態】
【０００８】  本発明を添付図に基づき説明する。
図１は、本発明の冠形状の留め具を用いて、プラスチック製のごみ袋１を円錐台形状のごみ箱２に嵌めて装着した状態の斜視図である。本発明の冠形状の留め具を用いることで、ごみ袋１はその端部をごみ箱２の外側にはみ出すことなく、ごみ箱２にきっちり装着することができる。
図２は、本発明の冠形状の留め具によって、プラスチック製のごみ袋１を円錐台形状のごみ箱２に嵌めて装着した状態の断面図である。図２に見られるように、冠形状の留め具は、その側面を構成する複数の板片３がその下端をリング状の枠４に、枠４を回転軸として動けるように留められ、板片３の留められていない他端部にはごみ箱の側板の上端部に引っ掛けることのできる掛け具５を複数設けることで、それら板片３に連結された掛け具５の位置をごみ箱２の開口部の大きさに合わせて調整し、引っ掛けることができるようになっている。また冠形状の留め具を円錐台形状のごみ箱２に嵌めたときに、プラスチック製のごみ袋１の端部を挟んで固定し、ごみ袋１の端部が留め具で折り返されてごみ箱２内に収められるため、ごみ袋１の端部はごみ箱２の開口部から外にはみ出さないようになっている。
図３、図４、図５は本発明の冠形状の留め具を示した図である。それらの図に見られるように、冠形状の留め具は複数の板片３が冠形状の留め具の円周方向に段々に重なり合うように配置され、冠形状の側面を形成している。そして、それら板片３の下端をリング状の枠４に、その枠４を回転軸として動けるように留められている。一方、リング状の枠４にはそれら重なり合った板片３が動き過ぎて過剰に開くことがないようストッパー部６が設けられており、それら板片３が花片のように開いたときに最大に開いた状態以上には動かないようになっている。加えて、重なり合った板片３が密に重なり合い、また板片３がリング状の枠４にガタなく留められているため、１つの板片３を動かすと、重なり合った他の板片３も共に同様な動きをするような仕組みとなっている。そして、板片３は留められた部分や隣り合った板片３同士の摩擦等により、板片３を動かして随意に開けた状態で形を保持できるようになっている。これにより、ごみ袋をごみ箱に装着するときに冠形状の留め具の形を調整し装着しやすくなっている。
図６は、図１で示した本発明の冠形状の留め具を用いて開口部の小さい円柱形のごみ箱７にプラスチック製のごみ袋１を装着した断面図である。図に示すように本発明の冠形状の留め具は、板片３を動かし、冠形の大きさを小さくすぼめることで開口部の小さなごみ箱７にも装着することができる。
このようにひとつの冠形状の留め具によって、様々な大きさのごみ箱に適用できるだけでなく、正角柱や正角錐台といった形状のごみ箱に対しても、板片を動かし調整することで、本発明の冠形状の留め具によってごみ袋を装着することができる。また、鉄製のごみ箱などには磁石などの磁着具を掛け具として用いることで同様の機能を持たせることもできる。
すなわち、ここに実施例として記した形状等はあくまで例であって、本特許の請求範囲を限定するものではない。
【産業上の利用可能性】
【０００９】  本発明の冠形状の留め具は、ごみ袋をごみ箱に綺麗に装着でき、ごみ箱をシンプルですっきりと見せるだけでなく、ごみ箱が置かれた部屋をも綺麗に見せることができる。よって、室内空間を美しく保つことが求められるホテルや旅館や美術館や公共施設などにおいては大いに利用できる。また民家においても円柱形また円錐台形のごみ箱は多く使われており、それら既存のごみ箱を簡単な方法で綺麗に見せることは多くの人々の求めるところである。
【符号の説明】
【００１０】１  プラスチック製のごみ袋
２  円錐台形状のごみ箱
３  板片
４  リング状の枠
５  掛け具
６  ストッパー部
７  開口部の小さい円柱形のごみ箱
【図１】
2016137993.tif 000003
【図２】
2016137993.tif 000004
【図３】
2016137993.tif 000005
【図４】
2016137993.tif 000006
【図５】
2016137993.tif 000007
【図６】
2016137993.tif 000008